(57)【特許請求の範囲】
【請求項１】
芳香剤を充填する充填領域を有するカートリッジと、
前記カートリッジを直線的にスライド可能に収容するケースとを備え、
前記ケースは前記カートリッジを挿入するカードケース状の形状を有するとともに、収容した前記カートリッジの充填領域を外部に露出するための透孔をケース表面に有し、さらに、前記カートリッジをスライド操作するための操作用開口をケース裏面に有し、
前記カートリッジは前記ケース内での所定のスライド範囲内において前記ケース内に完全に収容されるように、前記カートリッジの長さは前記ケースの長さより短く設定され、
前記カートリッジは、前記所定のスライド範囲の第１の位置において前記充填領域が前記透孔に重なる重畳面積がゼロとなるとともに前記スライド範囲の第２の位置において前記重畳面積が最大となり、前記スライド範囲内で前記カートリッジがスライドすることにより前記重畳面積が段階的またはほぼ連続的に変化する香り発生装置。
【請求項２】
前記カートリッジは、前記充填領域を定める凹部と、前記凹部に収容され、芳香剤を内部に含浸する含浸部材とを有する請求項１に記載の香り発生装置。
【請求項３】
前記カートリッジが前記ケースに収容された状態で、前記カートリッジの前記凹部の周囲の表面が前記ケースの内壁に接触し、前記凹部に収容された含浸部材が前記ケースの内壁から離間した状態にある請求項２に記載の香り発生装置。
【請求項４】
前記含浸部材は繊維または多孔性部材で形成されたシートで構成された請求項２または３に記載の香り発生装置。
【請求項５】
前記含浸部材は金属繊維で形成されたシートで構成された請求項２または３に記載の香り発生装置。
【請求項６】
前記カートリッジおよび前記ケースの少なくとも一方は剛性、耐水性、耐久性のある材料で構成された請求項１〜５のいずれかに記載の香り発生装置。
【請求項７】
前記カートリッジおよび前記ケースは金属で形成された請求項６に記載の香り発生装置。
【請求項８】
少なくとも前記操作用開口に現れうる前記カートリッジの裏面領域において、摩擦係数を増加させる表面加工が施されている請求項１〜７のいずれかに記載の香り発生装置。
【請求項９】
前記ケースはほぼクレジットカードサイズである請求項１〜８のいずれかに記載の香り発生装置。
【請求項１０】
前記ケースに対してカートリッジの表裏を逆に挿入する誤挿入を防止する誤挿入防止手段を備えた請求項１〜９のいずれかに記載の香り発生装置。
【発明の詳細な説明】
【技術分野】
【０００１】
本発明は、香りを発生する装置、特に、財布、名刺入れ、バッグ等の身の回り品やポケットに収納または身体に装着して携帯できる香り発生装置に関する。
【背景技術】
【０００２】
従来、体や衣服等に香りを付けるものとして、香水やコロンが知られている。
【０００３】
香水等の容器としては、ガラス瓶型、樹脂型のものがある。容器にスプレー機能が付属したものもある。香水等を入れて持ち運ぶことができるアトマイザーと呼ばれる噴霧器も知られている。
【０００４】
いずれにせよ、体や衣服等に香りを付ける際、過度に用いると、周囲が迷惑したり、不快になったりする原因となる。
【０００５】
しかし、通常、香りの放散度合いは香水等の付ける量に依存し、香りの量は制御、調整することが困難であり、時間とともに香りが変化する。
【０００６】
携帯できる香りグッズとしては、一般的に、紙、木製、樹脂、セラミック製で、香水、コロン、エッセンシャルオイル等を染み込ませて、香りを自然蒸発させるタイプのものが知られている。
【０００７】
このような香りグッズの多くは使い捨てのものであり、また、香りの選択肢が限られている。ユーザが普段使用している好みの香水、コロン、エッシェンシャルオイルが使えず、交換もできない。
【０００８】
部屋に置く香りグッズとしては、据え置き型芳香剤の他、エッセンシャルオイルなどをルームフラグランス（デフューザー）で拡散するもの（特許文献１参照）が知られている。しかし、植物の茎のような市販デフューザースティックは、数週間で目詰りし、使い捨てされるものである。
【０００９】
特許文献２には、エッセンシャルオイルを含浸可能な保湿カード（保湿紙、不織布、セラミックス薄板等）と、これを両面から挟むようにして収容するカードホルダとにより構成されるアロマカードユニットが提案されている。このカードホルダは、片面に多数の通気孔が形成された合成樹脂製のホルダ本体と、その片面に折り重ねられるフラップとで構成される。フラップはカードホルダにヒンジ結合され、通気孔を選択的に開放／閉鎖できるようになっている。フラップを半折り可能として、多数の通気孔のうち半分の通気孔だけを開放状態にする構成が示されている（特許文献２の図５）。他の実施形態として、カードホルダの片面に長手方向に延びる薄肉部が形成され、この薄肉部の一部領域に多数の通気孔が形成され、長手方向にスライド可能に薄肉部にスライダが嵌め込まれ、スライダの突起部に指を掛けてスライドさせることにより、多数の通気孔の任意の個数だけ開放することができる構成が示されている（特許文献２の図７）。さらに、この変形例として、円形のスライダを回転させることによりホルダ本体の通気孔とスライダの通気孔とを適宜位置合わせして任意の開口面積で通気孔を開放することができる構成も開示されている（特許文献２の図９）。
【先行技術文献】
【特許文献】
【００１０】
【特許文献１】特開２００４−７３７３３号公報
【特許文献２】特開平１０−２９５４３９号公報
【発明の概要】
【発明が解決しようとする課題】
【００１１】
上記特許文献２に開示されたアロマカードユニットは、携帯が容易であり、ユーザの好みの香水等を利用でき、かつ、香りの放散度合いを調整することができる利点がある。しかしながら、この従来技術においてもなお次のような改善の余地がある。
【００１２】
すなわち、この先行技術の装置は、フラップやスライダを必要とするため、部品点数が多くなるとともに、カード型の装置としては装置全体の厚さが大きくなる欠点を有する。特に、合成樹脂を素材として用いる構成は、変形を防止し、強度を出すためには相応の厚さが必要となる。
【００１３】
また、スライダの突起部はスライド操作には役立つが、装置の表面から外方へ突出しているので不使用時には邪魔であるばかりか、財布、名刺入れ、ポケット、バッグ等への収納時や収納中に誤操作の原因となりうる。カード型以外の用途においては、特に、装身具などの用途では、スライダおよびその突起部は外観を損ねるおそれがある。
【００１４】
本発明はこのような背景においてなされたものであり、その目的は、香りを発生する装置、特に、財布、名刺入れ、バッグ等の身の回り品やポケットに収納または身体に装着して携帯できる香り発生装置であって、外観を損ねることなく比較的少ない部品点数で、かつ、誤操作のおそれが軽減された薄型または小型化が可能な香り発生装置を提供することにある。
【課題を解決するための手段】
【００１５】
本発明による香り発生装置は、芳香剤を充填する充填領域を有するカートリッジと、前記カートリッジを直線的にスライド可能に収容するケースとを備え、前記ケースは前記カートリッジを挿入するカードケース状の形状を有するとともに、収容した前記カートリッジの充填領域を外部に露出するための透孔をケース表面に有し、さらに、前記カートリッジをスライド操作するための操作用開口をケース裏面に有し、前記カートリッジは前記ケース内での所定のスライド範囲内において前記ケース内に完全に収容されるように、前記カートリッジの長さは前記ケースの長さより短く設定され、前記カートリッジは、前記所定のスライド範囲の第１の位置において前記充填領域が前記透孔に重なる重畳面積がゼロとなるとともに前記スライド範囲の第２の位置において前記重畳面積が最大となり、前記スライド範囲内で前記カートリッジがスライドすることにより前記重畳面積が段階的またはほぼ連続的に変化することを特徴とする。
【００１６】
カートリッジがケースの内部でスライドすることにより、充填領域が透孔に重なる重畳面積が変化し、これにより、香りの放散の度合いが段階的または連続的に変化する。
【００１７】
少なくとも前記第１および第２の位置ならびにその中間の位置で、前記カートリッジは前記ケースの内部に完全に収容されている構成とすることにより、外観を損ねることなく構造が簡単となるとともに、重畳面積ゼロ時の香りの放散を効果的に抑止することができる。
【００１８】
前記カートリッジは、その一表面の前記充填領域を定める凹部と、前記凹部に収容され、液状または霧状の芳香剤を内部に含浸する含浸部材とを有することができる。この構成により、ケースの内部に芳香剤を含浸した含浸部材を収容する空間が形成される。
【００１９】
前記カートリッジが前記ケースに収容された状態で、前記カートリッジの前記凹部の周囲の表面が前記ケースの内壁に接触し、前記凹部に収容された含浸部材が前記ケースの内壁から離間した状態にあるようにすることができる。すなわち、この凹部の深さおよび含浸部材の厚さを適正に設定することにより、含浸部材がケースの内壁に接触しないようにすることができる。これにより、ケースの内壁に芳香剤が直接的に接触することが防止される。また、前記カートリッジの前記凹部の周囲の表面が前記ケースの内壁に接触することにより、前記重畳面積がゼロのとき、含浸部材を収容する空間が密閉空間となる。
【００２０】
前記含浸部材は繊維または多孔性部材で形成されたシートで構成することができる。これにより、芳香剤の保持力が向上する。特に、金属やセラミック等の含浸部材によれば、その耐久性が向上し、また、洗浄により芳香剤を除去して、再利用することが可能となる。
【００２１】
前記カートリッジおよび前記ケースの少なくとも一方は剛性、耐水性、耐久性のある材料で構成することができる。特に金属で構成した場合、強固な剛性を維持しつつ、精密プレス加工や微細穴加工の技術を利用して、比較的密閉性の高い、薄型または小型化が可能な香り発生装置が実現される。
【００２４】
前記ケースの裏面に、前記カートリッジを前記第１および第２の位置の間でスライド操作するための操作用開口を設けることにより、操作用の突起を外部に突出させることなく、スライド操作が行える。
【００２５】
少なくとも前記操作用開口に現れうる前記カートリッジの裏面領域において、摩擦係数を増加させる表面加工が施されてもよい。これにより、スライド操作の操作性が向上する。
【００２６】
前記ケースに対してカートリッジの表裏を逆に挿入する誤挿入を防止する誤挿入防止手段を備えてもよい。
【００２７】
前記カートリッジと前記ケースとの間の相対的なスライド動作は、他の実施の形態では、前記ケースに対する前記カートリッジの回転によって行われる。
【００２８】
その場合の香り発生装置は、例えば、円盤型の香り発生装置であって、前記ケースはほぼ円形の受け皿状の基部により構成され、その底部に透孔を有し、前記カートリッジは前記基部に嵌合するほぼ円形の蓋部により構成され、前記蓋部にはその内側の偏心した領域に前記充填領域を定める凹部が設けられ、前記凹部に、液状または霧状の芳香剤を内部に含浸する含浸部材が収容される。
【００２９】
あるいは、円筒型の香り発生装置であって、前記ケースは有底の円筒形状を有するとともにその周面に透孔を有し、前記カートリッジは前記ケースに収容される円筒状の頭部および半円筒状の樋状凹部を有し、前記樋状凹部に、液状または霧状の芳香剤を内部に含浸する含浸部材が収容される。
【００３０】
前記含浸部材は、例えば、前記樋状凹部に収容されるほぼ円筒形状または半円筒形状を有するものである。
【００３１】
あるいは、前記含浸部材は、例えば、前記樋状凹部に収容される帯状の形状を有するものである。
【発明の効果】
【００３２】
本発明によれば、財布、名刺入れ、バッグ等の身の回り品やポケットに収納または身体に装着して携帯できるだけでなく、外観を損ねることなく比較的少ない部品点数で、かつ、誤操作のおそれが軽減された薄型または小型化が可能な香り発生装置が得られる。
【００３３】
また、ケースの中にカートリッジを収容した状態で、ケースの外周には何ら突起部がない構成とすることができ、財布や名刺入れなどの狭い領域への収納時に何ら支障なく、誤操作のおそれもなく、外観を損ねることもない。
【図面の簡単な説明】
【００３４】
【図１】本発明の実施の形態に係るカード型の香り発生装置を示す斜視図である。
【図２】図１に示した香り発生装置のケース内でのカートリッジの移動による香りの放散度合いを変化させることの説明図である。
【図３】図１に示したカートリッジの変形例を示す図である。
【図４】本発明の実施の形態における、より好ましい寸法比の実際的なケースの試作品の外観を示す表面側斜視図と背面側斜視図である。
【図５】図４に示したケースの平面図、正面図、Ｂ−Ｂ線矢視端面図、底面図、Ｃ−Ｃ線矢視端面図、右側面図、および背面図である。
【図６】図５（ｂ）に示した円形領域１５の内部の拡大図である。
【図７】図４、図５に示したケースに対応したカートリッジの構成例を示す斜視図および分解斜視図である。
【図８】図７に示したカートリッジの正面図、Ａ−Ａ線矢視端面図、背面図である。
【図９】本発明の実施の形態におけるカートリッジの裏面の表面加工の例を示す図である。
【図１０】図４に示したケースの変形例を示す図である。
【図１１】本発明の実施の形態における含浸部材としての含浸シートの説明図である。
【図１２】図１に示した香り発生装置の変形例を示す図である。
【図１３】図１２に示した香り発生装置の動作説明図である。
【図１４】本発明の実施の形態におけるカートリッジの表裏逆挿入を防止するための構成例を示す図である。
【図１５】本発明の実施の形態におけるカートリッジの表裏逆挿入を防止するための他の構成例を示す図である。
【図１６】本発明の第２の実施の形態によるカフスボタンを斜め上方向から見た斜視図である。
【図１７】図１６に示したカフスボタンを斜め下方向から見た斜視図である。
【図１８】蓋部の分解斜視図、および、蓋部の斜視図である。
【図１９】図１６に示したカフスボタンのＦ−Ｆ線矢視断面図である。
【図２０】第２の実施の形態による香り発生装置の基部（ケース）内での蓋部（カートリッジ）の回転により香りの放散度合いが変化することの説明図である。
【図２１】第２の実施の形態における蓋部と基部との連結構造を示す図である。
【図２２】第２の実施の形態における現在の基部に対する蓋部の回転角度がどの程度の放散度合いに相当するのかをユーザに知らしめるための指標の例を示す図である。
【図２３】本発明の第３の実施の形態に係る円筒型の香り発生装置を異なる視点から見た外観を示す斜視図である。
【図２４】第３の実施の形態における香り発生装置のケースの外観を示す斜視図と、Ｇ−Ｇ線矢視断面図である。
【図２５】第３の実施の形態における香り発生装置のカートリッジの外観を示す斜視図である。
【図２６】第３の実施の形態におけるカートリッジの構成例を示す図である。
【図２７】第３の実施の形態における円筒型の香り発生装置のケース内でのカートリッジの回転による香りの放散度合いが変化する様子を説明するための模式的な断面図である。
【図２８】第３の実施の形態におけるカートリッジの変形例を示す断面図である。
【発明を実施するための形態】
【００３５】
以下、本発明の実施の形態について、図面を参照しながら詳細に説明する。本発明による香り発生装置では、芳香剤を充填する充填領域を有するカートリッジは、ケース内にスライド可能に収容される。スライド動作としては、直線的なスライドと、曲線的な、典型的には回転スライドがある。ケースの外形としては、カード型、円盤型、円筒型、球型などが考えられる。以下では、典型的な例として、直線的なスライド動作を行う実施の形態としてカード型の香り発生装置、曲線的なスライド動作を行う実施の形態として円盤型および円筒型の香り発生装置を挙げて、具体的に説明する。
【００３６】
図１は、本発明の第１の実施の形態に係るカード型の香り発生装置の斜視図を示している。この香り発生装置は、液状または霧状の芳香剤を充填する充填領域を有する板状のカートリッジ２０と、このカートリッジ２０をスライド可能に収容するカード状のケース（容器）１０とを備える。「カートリッジ」とは、ケース１０に対して交換可能に着脱できる部品を意味する。図１（ａ）は、分離したケース１０とカートリッジ２０を表面側の斜め上から見た斜視図、図１（ｂ）はこれと同じものを裏面側の斜め上から見た斜視図、図１（ｃ）はカートリッジ２０を表面側の斜め上から見た分解斜視図である。第１の実施の形態では、便宜上、香りが放散するケースの面を表面と呼ぶ。図１（ａ）（ｂ）（ｃ）は、視認性向上のため、その表面サイズに比べて厚さを誇張して示している。ケース１０の表面の一端側には、その内部に収容したカートリッジ２０の一部を通気孔として外部に露出するための透孔（または開口）１２を有している。
【００３７】
透孔１２の個数は典型的には複数個であるが、後述するように単一個の場合もありうる。本発明における透孔に必要なことは、ケース１０内のスライド範囲内でカートリッジ２０がスライドすることにより、充填領域が透孔１２に重なる重畳面積が段階的またはほぼ連続的に変化するような幅または拡がりを透孔単体または透孔の集合が有することである。図１に示した例ではケース１０に複数の透孔１２が設けられている。個々の透孔１２のサイズは、内部に位置する含浸部材２２に透孔１２を通してユーザの指や外部の物が接触することが防止される程度に、また、１つの透孔で過度の香りの放散が得られることが防止される程度に、小さいことが望ましい。透孔１２の個数は、段階的またはほぼ連続的に放散度合いが変化するように、複数設けられることが好ましい。透孔の形状は円形としたが、任意の形状であってよい。例えば、文字やロゴの形状としてもよい。
【００３８】
カートリッジ２０には、図１（ｃ）によく表れるように、その板状の本体部の一面のほぼ全面に亘って充填領域を定める所定の深さを有する凹部２１が形成されている。この凹部２１に、液状または霧状の芳香剤を内部に含浸する含浸部材２２が固定配置される。その固定の方法は嵌着、接着、圧着等、任意である。
【００３９】
含浸部材２２は、液状または霧状の芳香剤を吸収含浸する多数の微細な空隙を有する繊維状の素材からなる部材または多孔性の部材で構成される。含浸部材２２の厚さは凹部２１の深さより若干薄く設定される。すなわち、カートリッジ２０がケース１０に収容された状態で、凹部２１の周囲の表面はケース１０の内壁に接触（好ましくは密接）するが、凹部２１に収容された含浸部材２２はケース１０の内壁から離間した状態にある。これにより、凹部２１によりケース１０の内壁との間に薄い空気層（空間）が形成される。この実施の形態における典型的な含浸部材２２は含浸シートであり、その好適な例として金属繊維シートを用いる例を説明する。金属繊維シートは、極細の金属繊維の集合がシート状に成型されたものであり、香水、コロン、エッセンシャルオイル等の芳香剤の含浸特性に優れる。すなわち、その多数の微細な空隙構造により、注入する液体に勢いがついて流れたり、撥ねたり、溢れたりすることが抑制される。また、香り発生装置を激しく動かしても、瓶やボトル容器などのアトマイザーと異なり、液体のままの慣性力、重力の影響を受けづらく、漏れにくい。なお、金属繊維の素材としては、耐久性、抗酸性および耐食性を有するものを採用することが好ましい。
【００４０】
図１に示した本実施の形態におけるカートリッジ２０の厚さは、約０．５ｍｍ、凹部２１の深さは約０．４ｍｍを想定している。
【００４１】
香りの変更時には、カートリッジ２０の材料にもよるが、カートリッジ２０を洗浄（例えば超音波洗浄）することにより、同一のカートリッジ２０を異なる芳香剤に再利用することができる。勿論、異なるカートリッジ２０を使い分けてもよい。
【００４２】
カートリッジ２０の端部（ケース１０への挿入側と逆の端部）において、取り出し用切り欠き２３を設けている。取り出し用切り欠き２３は、ケース１０内に収容されたカートリッジ２０を後述の操作用開口１３（スライド操作窓）からの操作によって、ケース１０の外部へ排出する際に、カートリッジ２０の端部がケース１０から露出した後に、ユーザが指の爪などを引っ掛けて、カートリッジ２０をさらに引き出して完全に排出するのに役立つ。図に示した取り出し用切り欠き２３はカートリッジ２０の表裏を貫通するものであるが、少なくとも一面に設けた溝であってもよい。取り出し用切り欠き２３や溝は、カートリッジ２０が完全にケース１０内に収容された状態でも、スライド動作の支障とならない。
【００４３】
本実施の形態におけるケース１０は、典型的には、ほぼクレジットカードサイズの長方形の表面形状を有する金属製の容器である。本明細書において金属とは、機械的加工を施すことが出来る固体物質であり、好ましくは、ステンレス、チタン等の、耐久性、抗酸性、耐食性を有する。金属には合金も含む。カートリッジ２０の材質も好ましくは同様の金属である。
【００４４】
ケース１０は、その一側面（この例では、短辺側）に、カートリッジ２０の挿入口１１を有する。この挿入口１１は、カートリッジ２０がケース１０内にスライドして進入する空洞の端部開口を形成している。
【００４５】
図１（ｂ）に示すように、ケース１０の背面にはほぼ長手方向に延びる操作用開口（スライド操作窓）１３が形成されている。この操作用開口１３からは、内部に挿入されたカートリッジ２０が露出して見える。このような構成の操作用開口１３は、上記空洞に通じており、ケース１０内に収容状態にあるカートリッジ２０をスライド操作するためのスライド操作窓を構成する。これにより、ケース１０内にカートリッジ２０が完全に収容された状態でも（カートリッジ２０の端部が挿入口１１からはみ出さない状態においても）、ユーザは、ケース１０に対するカートリッジ２０のスライド動作を、ケース１０の外側から実行することができる。
【００４６】
少なくとも操作用開口１３に現れうるカートリッジ２０の領域において、特に必須ではないが、ユーザ操作時の指との間の摩擦力を高めるために、表面の摩擦係数を増加させる表面加工を施してもよい。図１は梨子地加工の例を示している。表面加工としては、その他、スライド方向に直角の方向の複数の平行溝、複数のディンプル等を含む。
【００４７】
図２（ａ）〜（ｄ）に示すように、ケース１０内でカートリッジ２０が所定のスライド範囲（すなわち第１の位置と第２の位置の間）を移動（直線的にスライド）することにより、香りの放散度合いを変化させることができる。第１および第２の位置ならびにその中間の位置で、カートリッジ２０はケース１０の内部に完全に収容されている。より具体的には、カートリッジ２０は、図２（ａ）に示す第１の位置において含浸部材２２の充填領域が透孔１２に重なる重畳面積がゼロ（開口率０％）であり、図２（ｄ）に示す第２の位置において前記重畳面積が最大（開口率１００％）となる。図２（ｂ）（ｃ）に示すような、第１および第２の位置の中間の位置（それぞれ開口率が約６６％と約３３％）を含めて、全スライド範囲内で前記重畳面積が段階的に変化する。
【００４８】
図３（ａ）は、図１に示したカートリッジ２０の変形例としてのカートリッジ２０ａの構成例を示している。図３（ｂ）は、分離したカートリッジ２０ａの部品を表面側の斜め上から見た斜視図である。
【００４９】
図１に示したカートリッジ２０は、その凹部２１で定まる充填領域（含浸部材２２の領域）をその表面のほぼ全面に設けたが、図３の例では、図３（ｂ）によく表れるように、その一面の端部寄りにより短い長さの凹部２１ａで定まる充填領域を設けている。含浸部材２２ａはこの凹部２１ａに収容されるサイズとしている。カートリッジ２０ａはカートリッジ２０に比べて、その面積の減少分だけ芳香剤の含浸容量（保持容量）が低下する反面、カートリッジ２０ａとケース１０の内壁との接触面積が大きくなるので、密閉性が向上し、挿入口１１から香りが漏れる可能性を低減することができる。
【００５０】
図４（ａ）（ｂ）は、それぞれ、本実施の形態による香り発生装置のケースのサイズおよび厚さについて、より好ましい寸法比の実際的なケースの試作品の外観を示す表面側斜視図と背面側斜視図である。ケース１０ｂのサイズは、クレジットカードとほぼ同じ縦横サイズ（８５．５ｍｍ×５４ｍｍ）であり、厚さは約１ｍｍを想定している。挿入口１１につながるケース１０ｂの内部の空間の厚さは約０．５ｍｍを想定している。この厚さは、ケース１０ｂにカートリッジ２０ｂ（図８で後述）が挿入されたとき、カートリッジ２０ｂの凹部（含浸部材）の周囲の表面とケース１０ｂの内壁とが密着するよう、高精度の寸法で精密加工される。
【００５１】
図５（ａ）〜（ｇ）は、それぞれ、図４に示したケース１０ｂの平面図、正面図、Ｂ−Ｂ線矢視端面図、底面図、Ｃ−Ｃ線矢視端面図、右側面図、および背面図である。図６は、図５（ｂ）に示した円形領域１５の内部の拡大図である。この例では、ケース１０ｂには多数の透孔１２ｂが設けられている。したがって、カートリッジ２０ｂのスライドによって、香りの放散の度合いはほぼ連続的に可変となる。
【００５２】
図７（ａ）（ｂ）は、図４、図５に示したケース１０ｂに対応したカートリッジ２０ｂの構成例を示す斜視図および分解斜視図である。図７（ｂ）から分かるように、凹部２１ｂに含浸部材２２ｂが収容される。この凹部２１ｂの深さは約０．４ｍｍである。図８（ａ）（ｂ）（ｃ）は、図７に示したカートリッジ２０ｂの正面図、Ａ−Ａ線矢視端面図、背面図である。このカートリッジ２０ｂの縦横サイズは５８．１ｍｍ×４６．２ｍｍであり、厚さは約０．５ｍｍである。カートリッジ２０ｂの角部には必須ではないが、アールを施してある。
【００５３】
図７、図８に示したカートリッジ２０ｂの含浸部材２２ｂとしての金属繊維シートは、例えば、金属繊維を絡み合わせてフェルト状に構成したものである。この金属繊維シートの材質としては、例えば既存の抗耐食ステンレス鋼などを利用できる。本例では、金属繊維シートの厚さは、０．２ｍｍ（板：０．０３５ｍｍ＋繊維：０．１６５ｍｍ）、サイズは、４６．１ｍｍ×３８．２ｍｍである。
【００５４】
一般に、香りを発生する香水、コロン、エッセンシャルオイルなどの液体は、オイル、アルコール等の含有成分により、粘性や毛細管現象での振る舞いに応じて、同じ含浸部材であっても浸透率（浸透しやすさ）が異なる。このような液体毎に異なる性質により、含浸部材に対して、染みすぎる（＝漏れやすい）、染みない（＝含浸、拡散しづらい）、などの課題が生じる。本実施の形態では、含浸シートの利用によりこのような課題を解決する。
【００５５】
特に極細の繊維の集合である含浸シートは、上述したとおり、香水、コロン、エッセンシャルオイル等の芳香剤の含浸特性に優れる。すなわち、芳香剤の注入時に吸収しやすく、含浸部材の全域で芳香剤を漏れることなく保持する。
【００５６】
このように含浸された芳香剤は、香り発生装置の使用時に、主として外気に触れる部分から揮発・放散される。（この放散の度合いは外部に触れる面積をスライド動作により調整することにより制御することができる。）
【００５７】
芳香剤を注入して使用を開始した後は、毛細管現象により、好ましくは、芳香剤が揮発して減少した箇所へ、含浸部材の内部や他の領域から芳香剤が再拡散して補給される。
【００５８】
本実施の形態のカード型の香り発生装置の用途としては、（１）名刺入れに名刺と共に収納して、名刺にほのかな香りを移す、（２）財布に収納して、財布を使用する度に香るようにする、（３）身体に香水やコロンを付けなくても、衣服のポケットや鞄等に収納して、身体の周辺から香るようにする、（４）カードスタンドに立てて置物として使用する、等が考えられる。
【００５９】
図９は、カートリッジ２０ｂの裏面の表面加工の他の例として、所定の模様をエッチング加工した例を示している。カートリッジ裏面のエッチング加工は、ケース裏のスライド操作窓である操作用開口１３（図４（ｂ））から親指などを差し込んで操作する際に、摩擦係数を増加させることにより指の滑り止めとして機能する。ここでは、装飾効果をも狙った模様の一例として、ペイズリー柄４０としている。
【００６０】
図１０に、図４に示したケース１０ｂの変形例の外観を示す。ケース１０ｂでは、操作用開口１３をケース１０ｂの裏面のほぼ中央に設けたが、この変形例では、操作用開口１３ｂの一端がケース１０ｂの裏面の挿入口１１ｂにつながって開放された例を示している。この場合、ケース１０ｂに対するカートリッジ２０ｂの挿入、取り出しの操作がより容易となることが期待できる。したがって、ケース１０ｂについては、カートリッジ２０ｂの取り出し用切り欠き２３は必ずしも設ける必要はない。
【００６１】
図１１は、含浸部材２２としての含浸シートの説明図である。第１の実施の形態に関しては、この図では、便宜上、厚さを拡大して示してある。
【００６２】
図１１（ａ）に示すように、含浸部材２２としての含浸シート２６はカートリッジ２０の凹部２１に装着する際、単体の含浸部材２２を凹部に押し込んで固定する等の方法により単独で装着することができる。これに対して、同図（ｂ）に示すように、接着部材２９を介してカートリッジ２０の凹部２１に接着するようにしてもよい。接着部材２９としては、接着剤や両面テープなどが利用できる。含浸部材２２の形状、サイズ、厚さは後述する変形例や他の実施の形態も含めて、用途や状況に応じて変わりうる。
【００６３】
図１２に、図１に示した香り発生装置の変形例を示す。この変形例でのカートリッジ２０ｃは、含浸部材２２ｃとして、上記含浸部材２２の挿入方向先端側を斜めに切除した形状のものを用いる。カートリッジ２０ｃに設けられる凹部２１ｃもこの含浸部材２２ｃの形状に合わせた形状を有する。ケース１０ｃは、その透孔１２ｃとして、カートリッジ２０ｃのスライド方向を横切る方向に延びる単一の長孔（ここでは横長透孔）の例を示している。単一の長孔の代わりに、複数の細孔を直線状に羅列した構成であってもよい。
【００６４】
図１３は、図１２に示した香り発生装置の動作説明図である。カートリッジ２０ｃをケース１０ｃの奥方向へ挿入していく際、含浸部材２２ｃの傾斜した先端部が透孔１２ｃ（横長の長孔）をその一端側から他端側へ連続的に乗り越えていく。これにより、透孔１２ｃと含浸部材２２ｃの重複面積が連続的に変化（増加）していく。すなわち、ケース１０ｃに対するカートリッジ２０ｃのスライド動作に伴って、香りの放散度合いが連続的に変化する。
【００６５】
ところで、上述した香り発生装置のいずれの構成も、ケースに対してカートリッジの表裏を逆に挿入する誤操作がなされるおそれがある。ケースの表裏や挿入方向を、カートリッジへの印刷表示等によりユーザに知らしめるとしても、構造的に表裏逆挿入を防止できれば好ましい。
【００６６】
図１４（ａ）（ｂ）は、カートリッジの表裏逆挿入を防止する目的のために、ケースの挿入口の両端の形状を異ならせるとともに、これに合わせてカートリッジの両側部の断面形状を異ならせた２例を示している。
【００６７】
図１４（ａ）に示したケース１０ｄはその挿入口１１ｄの一端側を矩形形状とし、他端側を山形（＜）形状１４ａとしたものである。これに対応するカートリッジ２０ｄは、スライド方向に沿った両側部のうちの一方の断面形状を矩形形状とし、他方の断面形状を山形（＜）形状２４ａとしている。
【００６８】
図１４（ｂ）に示したケース１０ｅはその挿入口１１ｅの一端側を矩形形状とし、他端側を傾斜（／）形状１４ｂとしたものである。これに対応するカートリッジ２０ｅは、スライド方向に沿った両側部のうちの一方の断面形状を矩形形状とし、他方の断面形状を傾斜（／）形状２４ｂとしている。このような特殊な形状の例として、山形形状と傾斜形状を挙げたが、挿入口の両端（およびカートリッジの両側部）の形状を互いに異ならせることができれば、これらの形状に限るものではない。
【００６９】
図１５は、表裏逆挿入を防止するためのさらに他の構成例を示す。図１５（ａ）はこの構成例におけるケース１０ｆとカートリッジ２０ｆの外観構成を示している。図１５（ｂ）は図１５（ａ）におけるＥ−Ｅ線矢視部分端面図を示している。ケース１０ｆの一面（この例では裏面）の内壁において、挿入口１１の近傍で、挿入口１１の中央から偏った位置（この例では一方の側端近傍）に突起部１７を設けている（図１５（ｂ）参照）。この突起部１７は、ケース１０ｆの表面側に凹部１６を加圧形成することにより設けることができる。勿論、凹部１６によらずに突起部１７を独立して形成してもよい。
【００７０】
このケース１０ｆに対応するカートリッジ２０ｆの一面（この例では裏面）には、スライド時に突起部１７が通過する溝２５をスライド方向のほぼ全長に亘って設ける。この構成により、カートリッジ２０ｆは誤って表裏を逆に挿入しようとした場合、その挿入時に、カートリッジ２０ｆの先端部が突起部１７に当接することによりその進入が阻止されるので、ユーザは誤挿入に気づくことができる。
【００７１】
次に、本発明の第２の実施の形態として、カフスボタン（カフリンクス）等に適した円盤型の香り発生装置について説明する。第２の実施の形態では、カートリッジとケースとの間の相対的なスライド動作がケースに対するカートリッジの回転によって行われる。図は便宜上、実物大より大きく示されている。
【００７２】
図１６に、第２の実施の形態によるカフスボタン１００を斜め上方向から見た斜視図を示す。カフスボタン１００は、カートリッジとしての蓋部１１０、ケースとしての基部１２０、脚部１３０、回転軸部１３５および留め具１４０を備えて構成される。蓋部１１０はほぼ円盤状の形状を有し、基部１２０に着脱（嵌合）可能である。蓋部１１０と基部１２０とによりボタン部が構成される。少なくとも、蓋部１１０および基部１２０の材質は上記と同様の材質である。脚部１３０は基部１２０の底面から突出した２本の棒状部により構成される。この２本の棒状部の間に、回転軸部１３５により回転可能に、留め具１４０が取り付けられる。このようなカフスボタン１００の外観は特に既存のものと変わらないが、以下の点で異なる。
【００７３】
図１７は、図１６に示したカフスボタン１００を斜め下方向から見た斜視図である。この図から分かるように、基部１２０の底面には、そのほぼ半分の半月状の領域に、香りの放散孔として、複数の透孔１２１が設けられている。
【００７４】
図１８（ａ）（ｂ）は、それぞれ、カートリッジとしての蓋部１１０の部品の分解斜視図、および、蓋部１１０の斜視図を示す。図１８（ａ）から分かるように、蓋部１１０を構成するカートリッジ本体部の裏面（内側の面）には、ほぼ半月状の凹部１１１が設けられている。図１８（ｂ）に示すように、この凹部１１１にほぼ同サイズ・同形状の含浸部材１１２が収容される。収容された含浸部材１１２の厚さは凹部１１１の深さより小さい。含浸部材１１２は第１の実施の形態と同様の含浸シートを使用することができる。
【００７５】
図１９に、図１６に示したカフスボタン１００のＦ−Ｆ線矢視断面図を示す。図１８で説明したように、収容された含浸部材１１２の厚さは凹部１１１の深さより小さいので、蓋部１１０の凹部１１１に収容された含浸部材１１２の表面は、蓋部１１０の裏面の面位置（すなわち、基部１２０の凹部１１１の底面）より後退して、空間１１４が形成されていることが分かる。図示の例では、空間１１４が透孔１２１に連通している場合を示しているが、連通するか否かは次に説明するように、基部１２０に対する蓋部１１０の回転角度による。
【００７６】
図２０に、第２の実施形態による円盤型の香り発生装置の基部１２０（ケース）内での蓋部１１０（カートリッジ）のスライド回転により香りの放散度合いが変化することの説明図を示す。図２０（ａ）〜２０（ｅ）は、それぞれ開口率が０％、約２５％、５０％、約７５％、１００％の場合を示している。これらの図は、基部１２０の背面側から、脚部および留め具を除外して見た概略図である。半月状の領域内に複数の透孔１２１を分散配置しているので、蓋部１１０の回転角度と開口率とはリニアな関係はないが、０％から１００％までほぼ連続的に開口率を変化させることができる。
【００７７】
なお、蓋部１１０と基部１２０との結合は単なる摩擦力によるものであってもよいが、図２１（ａ）（ｂ）に示すような連結構造を採用してもよい。図２１（ａ）は、既知のネジ構造を示している。蓋部１１０ａの結合部の外周にネジ山１１５が形成される一方、基部１２０ａの凹部の内周にネジ溝１２５が形成されている。開口率の０％〜１００％の範囲の調整は、ネジ係合の締め付けの最終の少なくとも半周で行われる。また、蓋部１１０が意図せずに基部１２０から離脱してしまうことを防止するため、ネジ山の傾斜はゆるく、締め付けは比較的多回転を要するような、ネジ構造とすることが好ましい。
【００７８】
図２１（ｂ）の連結構造では、蓋部１１０の結合部の外周に少なくとも一個（この例では２個）の突起部１１６が形成される一方、基部１２０の凹部の内周に環状溝１２６が形成されている。蓋部１１０ｂを基部１２０ｂに係合する際、蓋部１１０ｂの結合部を基部１２０ｂの凹部に押圧挿入すると、蓋部１１０ｂの突起部１１６が基部１２０ｂの環状溝１２６に嵌合する。この状態では、蓋部１１０ｂは基部１２０ｂに対して、ユーザの操作による外力に従って、回転するとともに、回転を停止した状態でその回転角度が維持される。すなわち、開口率の０％〜１００％の範囲の調整が行える。蓋部１１０ｂは基部１２０ｂに対して比較的強い力で上方へ引き上げられることにより、突起部１１６が環状溝１２６から基部１２０ｂの凹部内壁へ乗り上げる。さらに蓋部１１０ｂはさらに引き上げられることにより、基部１２０ｂから離脱する。この構成によれば、ユーザが蓋部を回転操作する際に不用意に基部から離脱することが防止される。
【００７９】
蓋部１１０と基部１２０の結合構造は特にこれらに限定するものではなく、任意所望の構造を採用することができる。突起部１１６はバネで常時外方へ付勢されたボールベアリングのような球形部材（図示せず）であってもよい。
【００８０】
ところで、上記のカード型の香り発生装置の場合、多数の透孔１２からケース内部が透けて見えるので、ユーザは、ケース１０とカートリッジ２０の位置関係に基づいて、内部に収容されたカートリッジ２０がどの程度挿入されているか（すなわち香りの放散度合い）が一目で認識できる。これに対して、図１６，図１７に示すようなカフスボタン１００の構造では、透孔１２１が基部１２０の背面に配置されているので、一旦、収容した後、放散度合いを調整しようとした場合、透孔１２１が見えないため、調整が困難となる。そこで、図２２に、現在の基部１２０に対する蓋部１１０の回転角度がどの程度の放散度合いに相当するのかをユーザに知らしめるための指標を、蓋部１１０および基部１２０に表示する例を示す。この例では、蓋部１１０の表面の周縁部の一カ所に、指標として、蓋部１１０の円周状の基準位置を表すマーク１１８を表示する。マーク１１８は逆三角マークとしたが、これに限るものではない。単なる丸印、角印であってもよい。
【００８１】
対する基部１２０側の指標としては、開口率が１００％となるような基部１２０に対する回転角度に蓋部１１０が位置する際の当該逆三角マーク１１８の対応する基部１２０の周縁位置に、１００％を表すマーク１２８ａ（この例では満月印）を表示している。また、開口率が５０％となるような基部１２０に対する回転角度に蓋部１１０が位置する際の当該逆三角マーク１１８の対応する基部１２０の周縁位置に、５０％を表すマーク１２８ｂ（この例では半月印）を表示している。同様に、開口率が０％となるような基部１２０に対する回転角度に、蓋部１１０が位置する際の当該逆三角マーク１１８の対応する基部１２０の周縁位置に０％を表すマーク（図では隠れて見えないが例えば新月印１２８ｃ）を表示する。図示しないが、基部１２０には５０％を表すマーク１２８ｂと逆側に同じく５０％の半月マークを表示するようにしてもよい。（この場合、両半月マークは、上弦と下弦の関係となる。）開口率を表す指標もこれらに限るものではない。特に個別に図示はしないが、例えば、開口率に応じて長さの異なる長方形のマーク、開口率に応じて直径の異なる円形マーク、０％から１００％まで変化する傾斜線を有する横長の直角三角形マーク等も採用可能である。さらには、開口率に対応した数値やＯＮ，ＯＦＦ等を表す文字であってもよい。なお、これらの指標の表示は、印刷、刻印、貼付、等任意である。
【００８２】
以上説明した円盤型の香り発生装置は、脚部１３０および留め具１４０を削除したり、用途に応じた他のアダプタ（クリップやフック等）に置換することにより、カフスボタン以外の用途、例えばペンダント、タイピン、イヤリング、ブレスレット、等の装身具、その他、キーホルダー等のアクセサリー、車載用芳香剤、などに使用することができる。また、蓋部１１０や基部１２０には適宜、加工、宝飾などの装飾を施すことができる。
【００８３】
次に、本発明の第３の実施の形態について説明する。第３の実施の形態においても、カートリッジとケースとの間の相対的なスライド動作がケースに対するカートリッジの回転によって行われる。但し、第２の実施の形態の円盤型と異なり、第３の実施の形態は円筒型の形状を有する。円盤型では回転軸に垂直の面から香りが放散されるのに対して、円筒型では回転軸に平行な面（円筒曲面）から香りが放散される違いがある。
【００８４】
図２３（ａ）（ｂ）は円筒型の香り発生装置２００を異なる視点から見た外観を示す斜視図である。この香り発生装置２００は、有底円筒状のケース２１０と、このケース２１０に大部分が収容されるカートリッジ２２０とにより構成される。用途にもよるが、実際の香り発生装置の大きさは、図示の大きさより十分小さいものとすることができる。ケース２１０とカートリッジ２２０の材質は上記と同様の材質である。
【００８５】
図２４（ａ）（ｂ）は、異なる視点から見た香り発生装置２００のケース２１０の外観を示す斜視図であり、図２４（ｃ）、Ｇ−Ｇ線矢視断面図である。ケース２１０は、有底の円筒形状を有し、円筒周壁に複数の透孔２１２が設けられている。図２４（ｃ）に示すように、透孔２１２は円周のほぼ半分の領域に形成されている。但し、透孔２１２の形状、個数、配置は図示のものに限らない。
【００８６】
図２５は、香り発生装置２００のカートリッジ２２０の外観を示す斜視図である。図２５（ａ）は、第３の実施の形態における含浸部材２２２の一例の外観を示し、図２５（ｂ）（ｃ）はカートリッジ２２０の本体部２２３を異なる視点から見た斜視図である。カートリッジ２２０は、ケース２１０とほぼ同一径の比較的短い円筒状頭部２２１と、この頭部２２１につながる小径円筒部２２４を有する。小径円筒部２２４の径は、ケース２１０の内径とほぼ同じであり、底部２２７を有する。小径円筒部２２４は、また、その長手方向に亘って筒のほぼ半分が切除された樋状凹部２２６を有する。カートリッジ２２０の含浸部材２２２は、カートリッジ２２０の樋状凹部２２６の湾曲した凹部内壁に沿って配置されるほぼ円筒形状を有する。円筒形状の含浸部材２２２の外径は、樋状凹部２２６の内径と同じかこれより若干小さい。含浸部材２２２は第１の実施の形態と同様の含浸シートを使用することができる。
【００８７】
円筒状頭部２２１の円形表面の外周近傍には小さい円形のくぼみ２２３が形成されている。このくぼみ２２３は、香りの放散度合いを調整する際にカートリッジ２２０の回転をユーザが認識するための指標として機能する。この指標はくぼみ２２３に限定されるものではない。突起部や単なるマークであってもよい。
【００８８】
図２６は、カートリッジ２２０の構成例を示す。図２６（ａ）は、円筒状の含浸部材２２２が樋状凹部２２６の内部空間に収容された様子を示している。含浸部材２２２の長手方向の両端部はカートリッジ２２０の両端の小径円筒部２２４により位置決め固定される。図２６（ｂ）は図２６（ａ）のＨ−Ｈ線矢視断面図である。この状態で、上記のように円筒形状の含浸部材２２２の外径は、樋状凹部２２６の内径と同じかこれより若干小さいので、ケース内に収容された状態で含浸部材２２２はケース２１０の内壁に接触することがない。
【００８９】
図２７に、この円筒型の香り発生装置２００のケース２１０内でのカートリッジ２２０の回転による香りの放散度合いが変化する様子を説明するための模式的な断面図を示す。図２７（ａ）〜２７（ｅ）は、それぞれ開口率が０％、約２５％、５０％、約７５％、１００％の場合を示している。ケース２１０に対して、カートリッジ２２０を回転させると、含浸部材２２２が露出した空間２２５が回転し、この空間２２５が連通した透孔２１２から外部へ香りが放散する。ケース２１０に対するカートリッジ２２０の回転角度と開口率とはリニアな関係にあり、０％から１００％まで段階的に開口率を変化させることができる。
【００９０】
図２８（ａ）（ｂ）（ｃ）（ｄ）は、カートリッジ２２０の変形例であるカートリッジ２２０ａ，２２０ｂ，２２０ｃ，２２０ｄを示す断面図である。図２８（ａ）は、カートリッジ２２０ａの細長い帯状の含浸部材２２２ａが、カートリッジ２２０の樋状凹部２２６の湾曲した凹部内壁に沿って配置される構成例を示す。図２８（ｂ）は、カートリッジ２２０ｃの帯状の含浸部材２２２ｂが、樋状凹部２２６に設けられた半円筒状アダプタ部２２８の平面上に配置される構成例を示す。図２８（ｃ）は、カートリッジ２２０ｃの帯状の含浸部材２２２ｃが、樋状凹部２２６に設けられた半円筒状アダプタ部２２９の凸湾曲面に沿って配置される構成例を示す。図２８（ｄ）は、カートリッジ２２０ｄのカマボコ型の半円筒形状の含浸部材２２２ｄが、樋状凹部２２６に設けられた半円筒状アダプタ部２２８の平面上に配置される構成例を示す。この例における含浸部材２２２ｄは中空としているが中実の構成であってもよい。逆に、アダプタ２２８，２２９は中実のものを示したが、中空の構造を有するものであってもよい。
【００９１】
同じ構造および厚さの含浸部材を使用する場合、カートリッジ２２０，２２０ｄは、他のカートリッジ２２０ａ，２２０ｂ，２２０ｃに比べて、より多量の芳香剤を保持することができる。カートリッジ２２０ｂ，２２０ｃは、他のカートリッジに比べて、ケース２１０内に収容された閉状態（開口率０％）で、含浸部材２２２の属する空間の容積が小さくなる利点を有する。これにより、不使用時の芳香剤の無駄な放散を低減することができる。他方、カートリッジ２２０，２２０ａは他のカートリッジに比べて、構造が簡単かつ軽量となる。
【００９２】
円筒型の香り発生装置は、適宜、フックやピンなどのアダプタを付加したり、チェーン、ストラップ等を付属させることにより、ペンダント、タイピン、イヤリング、ブレスレット、等の装身具、その他、キーホルダー等のアクセサリー、車載用芳香剤、などに応用することができる。
【００９３】
回転スライド動作を行う他の例としては、特に図示はしないが、球型のものも考えられる。球型の香り発生装置は、図１６〜図２２で説明した円盤型から派生した変形例として把握できる。すなわち、半球状の蓋部（カートリッジ）の内側空間に含浸部材を配置し、この蓋部が回転可能に係合する他の半球状の基部の一部の球側面側に透孔を設ける。その動作は、回転型のものと同様である。
【００９４】
以上説明した実施の形態による香り発生装置によれば次のような顕著な効果が得られる。
【００９５】
（１）ケースから取り出したカートリッジは、充填領域の含浸部材が広く開放されているので、香水やコロン、エッセンシャルオイル等の瓶等から液滴やスプレーを受け止める十分な大きさが確保されている。したがって、ユーザは、手や周囲を汚すことなく、芳香剤の充填を容易に行うことができる。
【００９６】
（２）多数の微細な空隙を有する含浸部材を用いることにより、香り発生装置の携帯時にも芳香剤を漏らすことなく保持することができる。また、含浸部材の表層からの香りの放散に伴って消費された芳香剤を、毛細管現象で自動的に内部から表層へ、または、一領域から他領域へ補給することができる。
【００９７】
（３）カートリッジがケースに収容された状態で凹部の周囲の表面がケースの内壁に接触（好ましくは密接）することにより構成されるケースとカートリッジの密閉構造により、不使用時には、芳香剤を比較的長時間、保持することができる。また、この状態で、中空のケースに対して内蔵されたカートリッジが構造フレームとして機能するので、香り発生装置の構造強度が高まる。
【００９８】
（４）芳香剤の注入→保持→密閉→供給→拡散の一連の機能により、長期間に良質の香りを保持し、楽しむことができる。
【００９９】
（５）香水の香り立ちは、時間とともに香りの質が変化することが知られている。一般的に、次のように３段階で香りの変化が表現される。
【０１００】
トップノート：  〜１０分程度。香水の第一印象
ミドルノート：  〜３時間程度。香水のボディ（中核）
ラストノート：  〜１２時間程度。香水の余韻 
【０１０１】
そこで、香水のボディとなるミドルノートを継続させるため、本実施の形態では、注入した香水が一度に揮発しないように、注入後、完全にまたは部分的に密閉する仕組みを設けている。すなわち、ケース内でのカートリッジのスライド動作によって、放散に寄与する面積を０から最大までほぼ連続的または段階的に変化させることにより、香りの放散の度合いを調整することができる。放散の度合いは、カートリッジがケース内に収容された状態で、カートリッジとケースの位置関係（直視または上述したマーク）によってユーザが認識することができる。
【０１０２】
（６）ケースにカートリッジを収容した状態で、ケースの外周には香り発生装置の操作等の要請上何ら突起部を設ける必要なく、財布や名刺入れなどの狭い領域への収納時に支障なく、誤操作のおそれもなく、使用することができる。特に、カートリッジがケース内に収容された状態での全スライド範囲内で香り発生装置の全体形状および体積は変わらず、場所をとらない。ユーザが身につけたり、携帯する以外に、置物として利用することもできる。その設置場所としては、浴室、台所、洗面所、トイレなど、設置場所も選ばない。
【０１０３】
（７）ケースやカートリッジを特に金属で構成することにより、剛性を維持しつつ、精密プレス加工や微細穴加工の技術を利用して、比較的密閉性の高い、薄型または小型が可能な香り発生装置を実現することができる。上記の効果（３）と相俟って、剛性が高まることにより、ケースの変形が防止され、意図しない香りの漏れが防止される。香り発生装置を薄型または小型に構成できるので、その設置場所、収納場所、挿入場所の自由度が高くなる。また、金属ならではの高級感、肌触り、質感、耐久性が得られる。
【０１０４】
（８）ケースやカートリッジの材料として金属を用いた場合、合成樹脂や木材、紙等の他の材料にくらべて高い熱伝導率を有するので、外気温が低く、香りの放散が低下したような場合でも、ケースを握ったり、着衣のポケットで暖めたりすることにより、電気、超音波、ローソクなどの特別な熱源を必要とすることなく、短時間で放散量を増加させることができる。
【０１０５】
（９）ある芳香剤のカートリッジを他の芳香剤のカートリッジに交換することにより、同じケースについて香りの切り替えが行える。
【０１０６】
（１０）カートリッジおよび含浸部材を金属製とすることにより、紙製や布製などの繊維質や木製のものに比べて、洗浄により芳香剤を除去することが容易となり、同じカートリッジを違う香りの香水やコロンについて繰り返して使用することもできる。
【０１０７】
（１１）カートリッジがケースに収容された状態で、凹部に収容された含浸部材はケースの内壁から離間した状態にあり、凹部によりケースの内壁との間に薄い空気層が形成されるので、芳香剤がケースの透孔から外部へ浸み出したり、漏れたりすることが回避される。
【０１０８】
（１２）カード型の場合、外観・形状的には、あたかもクレジットカードと同様に扱うことができる。透孔のある面と反対のケースの裏面に、カートリッジの操作用開口（スライド操作窓）を設けることにより、カートリッジの操作時に手が汚れることがなく、また、操作用開口が直接的に香りの放散の度合いに影響することが避けられる。少なくとも操作用開口に現れうるカートリッジの領域において、摩擦係数を増加させる表面加工を施すことにより、カートリッジのスライド操作を容易にすることができる。この表面加工としては自由度が高く、種々の異なる態様を採用することができる。
【０１０９】
（１３）円盤型の場合、脚部等を付加することにより、外観・形状的には、既存のカフスボタンと同様に扱うことができる。透孔は基部（ケース）の側に設けられているので、使用時には死角に入り、香り発生装置であることを外観上あからさまに主張しない構成とすることができる。円筒型の場合も、透孔の存在する側のケース２１０を裏側とするようアダプタを付加することにより、同様の効果が得られる。円盤型および円筒型の香り発生装置は、上述したような各種の装身具に適用して好適である。
【０１１０】
（１４）芳香剤の代わりに防虫剤や動物の忌避剤を充填して、防虫や忌避の用途に利用することも可能である。
【０１１１】
以上、本発明の実施の形態について説明したが、上記で言及した以外にも種々の変形、変更を行うことが可能である。
【０１１２】
上述した各部の寸法、材質、形状、数量等はあくまで説明のための例示であり、本発明はそれらに限定されるものではない。例えば、ケースとカートリッジの典型的な材質は金属としたが、その他、セラミックなどの剛性、耐水性、耐久性のあるものであればよい。また、含浸部材の材質は金属繊維で構成する例を示したが、ガラス、炭素などの耐久性、抗酸性および耐食性のある他の繊維で構成してもよい。耐久性、洗浄性において劣るが、保湿紙や不織布を含浸部材として利用することも可能である。含浸部材のさらに他の材質として、繊維の代わりに多孔性のセラミックや石材を切削、スライス、粉末かして基材に塗布する等の構成も考えられる。
【０１１３】
１つのケースにおける透孔の形状やサイズは一定の場合を示したが、ランダムに、あるいは条件に応じて（たとえばスライド位置に応じて）、透孔の形状および／またはサイズを変更するようにしてもよい。
【０１１４】
上述した複数の実施の形態の構成例や変形例は、特に支障がない限り、相互に組み合わせて採用することが可能である。
【符号の説明】
【０１１５】
１０，１０ａ，１０ｂ，１０ｃ，１０ｄ，１０ｅ，１０ｆ…カード状のケース
１１，１１ｂ，１１ｄ，１１ｅ…挿入口
１２，１２ｂ，１２ｃ…透孔
１３，１３ａ，１３ｂ…操作用開口（スライド操作窓）
１４ａ…山形形状
１４ｂ…傾斜形状
１５…円形領域
１６…凹部
１７…突起部
２０，２０ａ，２０ｂ，２０ｃ，２０ｄ，２０ｅ，２０ｆ…カートリッジ
２１，２１ａ，２１ｂ，２１ｃ…凹部
２２，２２ａ，２２ｂ，２２ｃ…含浸部材（含浸シート）
２３…取り出し用切り欠き
２４ａ…山形形状
２４ｂ…傾斜形状
２５…溝
２６…含浸シート
２９…接着部材
４０…ペイズリー柄
１００…円盤型香り発生装置（カフスボタン）
１１０，１１０ａ，１１０ｂ…蓋部（カートリッジ）
１１１…凹部
１１２…含浸部材（含浸シート）
１１４…空間
１１５…ネジ山
１１６…突起部
１１８…逆三角マーク
１２０，１２０ａ，１２０ｂ…基部（ケース）
１２１…透孔
１２５…ネジ溝
１２６…環状溝
１２８ａ，１２８ｂ，１２８ｃ…マーク
１３０…脚部
１３５…回転軸部
１４０…留め具
２００…円筒型香り発生装置
２１０…ケース
２１２…透孔
２２０，２２０ａ，２２０ｂ，２２０ｃ，２２０ｄ…カートリッジ
２２１…円筒状頭部
２２２，２２２ａ，２２２ｂ，２２２ｃ，２２２ｄ…含浸部材（含浸シート）
２２３…本体部
２２４…小径円筒部
２２５…空間
２２６…樋状凹部
２２７…底部
２２８，２２９…半円筒状アダプタ部
【図１】
0006587053.tif 000002
【図２】
0006587053.tif 000003
【図３】
0006587053.tif 000004
【図４】
0006587053.tif 000005
【図５】
0006587053.tif 000006
【図６】
0006587053.tif 000007
【図７】
0006587053.tif 000008
【図８】
0006587053.tif 000009
【図９】
0006587053.tif 000010
【図１０】
0006587053.tif 000011
【図１１】
0006587053.tif 000012
【図１２】
0006587053.tif 000013
【図１３】
0006587053.tif 000014
【図１４】
0006587053.tif 000015
【図１５】
0006587053.tif 000016
【図１６】
0006587053.tif 000017
【図１７】
0006587053.tif 000018
【図１８】
0006587053.tif 000019
【図１９】
0006587053.tif 000020
【図２０】
0006587053.tif 000021
【図２１】
0006587053.tif 000022
【図２２】
0006587053.tif 000023
【図２３】
0006587053.tif 000024
【図２４】
0006587053.tif 000025
【図２５】
0006587053.tif 000026
【図２６】
0006587053.tif 000027
【図２７】
0006587053.tif 000028
【図２８】
0006587053.tif 000029